(57)【要約】【課題】  端子シートを包囲した平行六面体電気コネクタシェルを提供すること。【解決手段】  シェル１はプリント基板に装着可能であるとともに嵌合コネクタのポートと接続可能であるように構成されている。該シェル１は、嵌合コネクタのシェルの凹部と係合するために頂部面１１に配置された第一のラッチ５と、該嵌合コネクタを挟持するために頂部面１１に二つの第二のラッチ６と、シェル１から内方に延びるうち抜かれた停止機構４とを含む。停止機構からポートまでの距離は、該嵌合コネクタの予め定められた挿入深さと一致する。本考案は挿入深さを制限することができる。また、嵌合コネクタにより付与された過剰の挿入力によりハウジングの位置のずれることが回避される。【選択図】      図２
0003114089.tif 000002
【実用新案登録請求の範囲】
【請求項１】
電気コネクタシェルであって、頂部面と、底部面と、二つの側壁とを含むほぼ平行六面体であり、かつ前記シェルに包囲される端子シートを備えた電気コネクタシェルにおいて、前記電気コネクタシェルはプリント基板に取り付けられるとともに、嵌合コネクタのポートと電気的接続にて接続されるように構成されており、前記電気コネクタシェルは、
前記頂部面に第一のラッチを備え、かつ該第一のラッチが前記嵌合コネクタのシェルの凹部と係合可能に構成されることと、
前記頂部面に二つの第二のラッチを備え、かつ該第二のラッチが前記嵌合コネクタを挟持するように構成されることと、
停止機構と、を含み、
前記停止機構から前記ポートまでの距離は、前記嵌合コネクタの予め定められた挿入深さである電気コネクタシェル。
【請求項２】
前記停止機構は前記シェルから内方に延びている請求項１に記載の電気コネクタシェル。
【請求項３】
前記停止機構は、前記シェルの頂部面に配置された二つの離間した停止部材からなる請求項１に記載の電気コネクタシェル。
【請求項４】
前記停止機構は、前記シェルの底部面に配置された二つの離間した停止部材からなる請求項１に記載の電気コネクタシェル。
【請求項５】
前記停止機構は、前記シェルの側壁に配置された二つの離間した停止部材からなる請求項１に記載の電気コネクタシェル。
【請求項６】
前記停止機構は二つの停止部材からなり、各停止部材は、前記側壁と前記頂部面との接合部に配置されている請求項１に記載の電気コネクタシェル。
【請求項７】
前記停止機構は二つの停止部材からなり、各停止部材は、前記側壁と前記底部面との接合部に配置されている請求項１に記載の電気コネクタシェル。
【請求項８】
前記停止機構は前記頂部面及び前記側壁に配置された複数の停止部材からなる請求項１に記載の電気コネクタシェル。
【請求項９】
前記停止機構は前記底部面及び前記側壁に配置された複数の停止部材からなる請求項１に記載の電気コネクタシェル。
【請求項１０】
前記停止機構は前記頂部面、前記底部面、及び前記側壁に配置された複数の停止部材からなる請求項１に記載の電気コネクタシェル。
【考案の詳細な説明】
【技術分野】
【０００１】
本考案は電気コネクタに関し、より詳細には、差込動作又は引抜動作時において、ハウジングが嵌合コネクタにより適切な位置から押し出されることを回避するための停止部材を備えた電気コネクタシェルに関する。
【背景技術】
【０００２】
デジタル化は、現代の技術において、プリンタ、スキャナ等のような従来のコンピュータ周辺機器と比較して最も重要な進歩を遂げていると言える。デジタルカメラ、デジタルビデオカメラ及びデジタルミュージックプレイヤもまたコンピュータ周辺機器となっている。デジタル化において、ポート及び電気コネクタは、周辺機器とコンピュータとの接続において必要不可欠な役割を担っている。ポートに関する標準規格は、ＩＥＥＥ１３９４、ＵＳＢ等において定義されている。そのようなポートは、電力の供給、プラグアンドプレイ、ホットプラグ等の機能を備えている。それらはまた、６０以上の機器と接続可能である。例えば、ＵＳＢは理論的には１２７の機器と接続可能である。無論、必須要件は通信速度である。ＵＳＢ２．０の理論上の最高通信速度は、４８０Ｍｂｐｓ．である。ＩＥＥＥ１３９４の理論上の最高通信速度はまた、４００Ｍｂｐｓ．に至る。将来、ＵＳＢ又はＩＥＥＥ１３９４の通信速度はより速くなるであろう。従って、過去にコンピュータにインストールされたＣＤ−ＲＯＭドライブ、ハードディスクドライブ等のようないくつかの周辺機器はまた、データの通信速度を増大するためにコンピュータの外部にインストールされるであろう。しかしながら、上述の目的を達成するためには線により異なる機器に接続する必要がある。
【０００３】
進歩した通信インターフェースは、プラグアンドプレイ、ホットプラグ等の機能又は特徴を備えている。これは、最初の使用時に差し込まれ、又は交換時には引き抜く電気コネクタを必要とするのみである従来の通信インターフェースとは相異なるものである。現在では、電気コネクタは、差込又は引抜動作がいつでも可能であるものに進歩してきた。これは、通信インターフェースを有する雄型コネクタと雌型コネクタとを共に固定するための留め具（例えば、ネジ等）の使用を必要としないことを意味する。
【０００４】
シェル上にラッチを備える電気コネクタは、図１に示されるように、米国特許第６５５４６４８号明細書に開示されている。該コネクタのシェルＡの前面又は後面のいずれかには、一対の第一のラッチＢと、該第一のラッチＢの間に第二のラッチＣとを備えている。第一のラッチＢは、接続される嵌合コネクタの凹部と係合するように構成されている。また、第二のラッチＣにより嵌合コネクタに付与される弾性固定力は接続されたコネクタの安定したロック固定を得るために係合を強固にすることを可能にする。
【０００５】
しかしながら、従来の固定では信頼できないことがある。仮に十分に注意を払わなかった場合には、コネクタのハウジングを後方に押すために、該コネクタを過度に挿入する可能性がある。その結果、該ハウジングが適切な位置から押し出されることになる。また、部品の位置のずれ、電気的接触不良、及びハウジングと嵌合コネクタのシェルとの間の固定力が不十分である等の問題が起こる。さらに好ましくないことに、コネクタの差込又は引抜において十分な注意を払わなかった場合、コネクタにて取り付けられた周辺機器が地面に落下するかもしれない。従って、改善する必要性が存在する。
【考案の開示】
【考案が解決しようとする課題】
【０００６】
従って、本考案の目的は、電気コネクタを形成するためにハウジング及び包囲された端子とともに停止部材を有する電気コネクタシェルを提供することにある。
【課題を解決するための手段】
【０００７】
上述の目的及び他の目的を達成するために、請求項１に記載の考案は、電気コネクタシェルを提供し、該シェルは、頂部面と、底部面と、二つの側壁とを含むほぼ平行六面体であるとともに該シェルに包囲される端子シートを備え、該電気コネクタシェルはプリント基板に装着可能であり、かつ嵌合コネクタのポートと電気的接続にて接続するように構成されている。該シェルは、頂部面に第一のラッチを含み、第一のラッチは嵌合コネクタのシェルの凹部と係合するように構成されており、該シェルはさらに、頂部面に二つの第二のラッチを含み、第二のラッチは嵌合コネクタを挟持するように構成されている。また、該シェルは停止機構を有し、該停止機構からポートまでの距離は、該嵌合コネクタの所定の挿入深さである。
【０００８】
請求項２に記載の考案は、請求項１に記載の電気コネクタシェルにおいて、該停止機構がシェルから内方に延びていることをその要旨とする。
請求項３に記載の考案は、請求項１に記載の電気コネクタシェルにおいて、該停止機構がシェルの頂部面に配置された二つの離間した停止部材からなることをその要旨とする。
【０００９】
請求項４に記載の考案は、請求項１に記載の電気コネクタシェルにおいて、該停止機構がシェルの底部面に配置された二つの離間した停止部材からなることをその要旨とする。
請求項５に記載の考案は、請求項１に記載の電気コネクタシェルにおいて、該停止機構がシェルの側壁に配置された二つの離間した停止部材からなることをその要旨とする。
【００１０】
請求項６に記載の考案は、請求項１に記載の電気コネクタシェルにおいて、該停止機構が二つの停止部材からなり、かつ各停止部材は、側壁と頂部面との接合部に配置されていることをその要旨とする。
【００１１】
請求項７に記載の考案は、請求項１に記載の電気コネクタシェルにおいて、該停止機構が二つの停止部材からなり、かつ各停止部材は、側壁と底部面との接合部に配置されていることをその要旨とする。
【００１２】
請求項８に記載の考案は、請求項１に記載の電気コネクタシェルにおいて、該停止機構が頂部面及び側壁に配置された複数の停止部材からなることをその要旨とする。
請求項９に記載の考案は、請求項１に記載の電気コネクタシェルにおいて、該停止機構が底部面及び側壁に配置された複数の停止部材からなることをその要旨とする。
【００１３】
請求項１０に記載の考案は、請求項１に記載の電気コネクタシェルにおいて、該停止機構が頂部面、底部面及び側壁に配置された複数の停止部材からなることをその要旨とする。
【考案の効果】
【００１４】
本考案の電気コネクタシェルを使用することにより、嵌合コネクタにより付与される過度の挿入力によるハウジングの位置ずれが回避され、確実な接続が達成される。
【考案を実施するための最良の形態】
【００１５】
本考案の上述の目的及び他の目的、特徴並びに利点は添付した図面とともに、以下の詳細な説明から明らかであろう。
【００１６】
図２を参照すると、本考案に従う電気コネクタの第一の好ましい実施形態の斜視図が示されている。シェル１はハウジングにより形成された端子シート７と端子とを包囲する。電気コネクタはシェル１と端子シート７とからなる。電気コネクタは嵌合ポート２を含み、該嵌合ポート２は、嵌合コネクタが該ポート２に電気的接続により接続されることを可能にする。第一の実施形態において、電気コネクタは嵌合コネクタと接続するために入力／出力ポートとしてプリント基板（ＰＣＢ）上に取り付けられる。シェル１は、その頂部面に、第一のラッチ５と二つの第二のラッチ６とを含む。第一のラッチ５は嵌合コネクタのシェルの凹部と係合するように構成されており、第二のラッチ６は、該嵌合コネクタを挟持するように構成されている。シェル１は、該シェルのいずれかの側壁１３の内側の適切な位置に停止部材４を備えている。該停止部材４は、シェル１上の凹形部材である。停止部材４から嵌合ポート２までの距離は、コネクタの挿入深さが制限されるように対応する嵌合コネクタの挿入深さとする。さらに、シェル１は複数の接合用レッグ３を備え、該接合用レッグ３を用いて表面実装技術（ＳＭＴ）によりＰＣＢ上にコネクタを固定するように構成されている。
【００１７】
停止部材４を提供することにより、電気コネクタにおける嵌合コネクタの挿入深さが制御され、仮に嵌合コネクタの挿入力が過剰となった場合においてもハウジングの位置のずれることが回避される。停止部材４の提供はまた、嵌合コネクタと該コネクタとの間の確実な固定を提供する。従って、停止部材４は、シェル１の内壁の任意の位置に配置され得る。
【００１８】
図３の第二の好ましい実施形態に示されるように、停止部材４はシェル１の底部面１２に配置されるとともに該シェルの両側面に近接している。図４の第三の好ましい実施形態に示されるように、停止部材４はシェル１の頂部面１１に配置されるとともに該シェルの両側面に近接している。図５の第四の好ましい実施形態及び図６の第五の好ましい実施形態に示されるように、停止部材４は、側壁１３と頂部面１１との接合部、又は側壁１３と底部面１２との接合部のいずれかにそれぞれ配置されている。これに代えて、他の実施形態において、複数の停止部材４が、頂部面１１及び両側壁１３に配置されているか、底部面１２及び両側壁１３に配置されているか、又は頂部面１１、底部面１２及び両側壁１３に配置されている。
【００１９】
上述の実施形態において、シェル１は金属プレートであり、第一のラッチ５、第二のラッチ６及び接合用レッグ３からなり、これらの全ては、打ち抜き型による圧断、即ち打ち抜き加工により形成されている。停止部材４はまた、打ち抜き加工により形成され得る。製造工程において、半加工品が打ち抜き型により打ち抜かれ、次いで、シェル１を形成するために曲げられる。シェル１は最終的には端子シート７を備えた状態にて組み立てられ、本考案の電気コネクタが形成される。
【００２０】
本明細書に開示された考案は、特殊な実施形態により述べたが、種々の修正及び変更が、実用新案登録請求の範囲に記載された本考案の範囲及び精神を逸脱することなく、当業者にとってなされるであろう。
【図面の簡単な説明】
【００２１】
【図１】従来の電気コネクタのシェルの斜視図である。
【図２】本考案に従う電気コネクタの第一の好ましい実施形態の斜視図である。
【図３】本考案に従う電気コネクタの第二の好ましい実施形態の斜視図である。
【図４】本考案に従う電気コネクタの第三の好ましい実施形態の斜視図である。
【図５】本考案に従う電気コネクタの第四の好ましい実施形態の斜視図である。
【図６】本考案に従う電気コネクタの第五の好ましい実施形態の斜視図である。
【符号の説明】
【００２２】
１…シェル、２…嵌合ポート、３…接合用レッグ、４…停止部材、５…第一のラッチ、６…第二のラッチ、７…端子シート、１１…頂部面、１２…底部面、１３…側壁。
【図１】
0003114089.tif 000003
【図２】
0003114089.tif 000004
【図３】
0003114089.tif 000005
【図４】
0003114089.tif 000006
【図５】
0003114089.tif 000007
【図６】
0003114089.tif 000008